(57)【要約】      （修正有）【課題】貸出者と借受者とが直接会って受渡す必要がなく、収納部を介して鍵の受渡しを容易且つ安全に行うことができる収納装置及び収納システムを提供する。【解決手段】収納システムは、部屋の鍵を収納可能な収納部１１と、収納部１１の施錠及び解錠の入力操作可能な操作部１３と、管理サーバに設けられ、認証情報等の収納装置１０の各種管理情報を設定して登録可能な情報格納部と、入力操作及び認証情報により収納部１１を施錠及び解錠する制御部と、を備え、鍵の貸出者と借受者とが共通に認証情報を用い、収納部１１に対する鍵の入庫操作、出庫操作、返却操作、及び回収操作を可能にする。【選択図】図２
2020112874.tif 000002
【特許請求の範囲】
【請求項１】
部屋の鍵を収納可能な収納部と、前記収納部の施錠及び解錠の入力操作可能な操作部と、認証情報を設定可能な情報格納部と、前記入力操作及び前記認証情報により前記収納部を施錠及び解錠する制御部と、を備え、
前記鍵の貸出者と借受者とが共通に前記認証情報を用い、前記収納部に対する前記鍵の入庫操作、出庫操作、返却操作、及び回収操作が可能であることを特徴とする収納装置。
【請求項２】
前記制御部には、前記入庫操作、前記出庫操作、前記返却操作、及び前記回収操作が選択可能に予め設定され、前記入庫操作で前記認証情報が設定されるとともに、前記回収操作で前記認証情報が解除されることを特徴とする請求項１に記載の収納装置。
【請求項３】
前記認証情報は、前記貸出者のＩＤ及びパスワードを含み、前記出庫操作では前記パスワードにより認証され、前記回収操作では前記貸出者のＩＤ及びパスワードが認証されることを特徴とする請求項２に記載の収納装置。
【請求項４】
前記情報格納部は、前記貸出者のＩＤに対して複数のパスワードを設定することが可能なことを特徴とする請求項３に記載の収納装置。
【請求項５】
前記制御部は、前記入庫操作で設定された前記パスワードを前記貸出者の貸出者端末に通知することを特徴とする請求項１乃至４の何れか一つに記載の収納装置。
【請求項６】
前記情報格納部には前記回収予定が設定可能であり、前記回収予定で前記回収操作が実行されないときに、前記制御部から前記貸出者端末に回収催促を通知することを特徴とする請求項１乃至５の何れか一つに記載の収納装置。
【請求項７】
前記収納部及び前記操作部は、集合住宅における共同玄関の外部から前記出庫操作及び前記返却操作が可能に配設されていることを特徴とする請求項１乃至６の何れか一つに記載の収納装置。
【請求項８】
請求項１から７の何れか１項に記載の収納装置と、前記情報格納部における管理情報をネットワークを介して管理する管理サーバと、を備えたことを特徴とする収納システム。
【請求項９】
前記貸出者の貸出者端末が前記管理情報を送受信可能に前記収納装置及び前記管理サーバと前記ネットワークを介して接続されている請求項８に記載の収納システム。
【発明の詳細な説明】
【技術分野】
【０００１】
本発明は、収納装置及び収納システムに関し、特に部屋の鍵を収納して貸出者と借受者との間で受渡すための収納装置及び収納システムに関する。
【背景技術】
【０００２】
従来、集合住宅の共用部等に設置されて宅配便等のサービスに利用される収納装置が知られている（下記特許文献１参照）。このような収納装置では、荷物が収納される各収納ボックスが施錠可能に構成されており、宅配業者が荷物を収納ボックスに収納する際、パスワードを入力して施錠し、そのパスワードを居住者に通知して使用されている。
【０００３】
一方、荷物を受取る居住者は、そのパスワードを入力することで各収納ボックスを解錠して、収納された荷物を取出していた。使用された収納ボックスは荷物を取り出すことでリセットされ、次の利用に供されていた。
【先行技術文献】
【特許文献】
【０００４】
【特許文献１】特開２０１７−４８０１４号公報
【発明の概要】
【発明が解決しようとする課題】
【０００５】
近年、集合住宅の居住者が、ハウスキーパーを依頼したり、民泊等に利用したり、賃貸や売出しのために他人に内見させるようなことが頻発してきている。そのような場合、居住者が自宅の鍵を、一旦、他人に貸出し、使用後、借受けた他人が再び居住者に返却するような鍵の受け渡しが必要になる。
【０００６】
その際、貸出者の居住者と借受者の他人とが直接会って鍵を受渡すことがあるが、鍵の受渡しに著しく手間を要する。また数字を合わせて開閉する簡易な収容体に鍵を収容して受け渡すことがあるが、不法に鍵や部屋を使用され易く確実性が著しく低い。
そのため宅配ボックス等の収納ボックスを利用して鍵を受け渡すことが要望されている。
【０００７】
本発明は、上記問題点に鑑みてなされたものであり、貸出者と借受者とが直接会って鍵を受渡す必要がなく、収納部を介して鍵の受渡しを容易且つ安全に行うことができる収納装置及び収納システムを提供することを目的とする。
【課題を解決するための手段】
【０００８】
かかる目的を達成するため、本発明の収納装置は、部屋の鍵を収納可能な収納部と、前記収納部の施錠及び解錠の入力操作可能な操作部と、認証情報を設定可能な情報格納部と、前記入力操作及び前記認証情報により前記収納部を施錠及び解錠する制御部と、を備え、前記鍵の貸出者と借受者とが共通に前記認証情報を用いて、前記収納部に対する前記鍵の入庫操作、出庫操作、返却操作、及び回収操作が可能であることを特徴とする。
【０００９】
本発明の収納装置では、前記制御部には、前記入庫操作、前記出庫操作、前記返却操作、及び前記回収操作が選択可能に予め設定され、前記入庫操作で前記認証情報が設定されるとともに、前記回収操作で前記認証情報が解除されていてもよい。
【００１０】
また、本発明の収納装置では、前記認証情報は、前記貸出者のＩＤ及びパスワードを含み、前記出庫操作では前記パスワードにより認証され、前記回収操作では前記貸出者のＩＤ及びパスワードが認証されるものであってもよい。
【００１１】
また、本発明の収納装置では、前記情報格納部は、前記貸出者のＩＤに対して複数のパスワードを設定するものであってもよい。
【００１２】
さらに本発明の収納装置では、前記制御部は、前記入庫操作で設定された前記パスワードを前記貸出者の貸出者端末に通知するものであってもよい。
【００１３】
また、本発明の収納装置では、前記情報格納部には前記回収予定が設定可能であり、前記回収予定で前記回収操作が実行されないときに、前記制御部から前記貸出者端末に回収催促を通知することを特徴とする請求項１乃至４の何れか一つに記載の収納装置。
【００１４】
また、本発明の収納装置では、前記収納部及び前記操作部は、集合住宅における共同玄関の外部から前記出庫操作及び前記返却操作が可能に配設されていてもよい。
【００１５】
上記目的を達成する本発明の収納システムは、上述の何れか１つの収納装置と、前記情報格納部における管理情報をネットワークを介して管理する管理サーバと、を備えたことを特徴としている。
【００１６】
本発明の収納システムでは、前記貸出者の貸出者端末が前記管理情報を送受信可能に前記収納装置及び前記管理サーバと前記ネットワークを介して接続されていてもよい。
【発明の効果】
【００１７】
本発明の収納装置及び収納システムによれば、貸出者と借受者とが共通の認証情報を用いて収納部を開閉し、鍵の入庫操作、出庫操作、返却操作、及び回収操作を行えるので、貸出者と借受者とが直接会って部屋の鍵を受渡す必要がなく、収納部を介して鍵の受渡しを容易且つ安全に行うことが可能である。
【図面の簡単な説明】
【００１８】
【図１】本発明の第１実施形態における収納システムの構成を示す図である。
【図２】本発明の第１実施形態における収納装置の外観を示す斜視図である。
【図３】本発明の第１実施形態における収納装置の構成を示すブロック図である。
【図４】本発明の第１実施形態における管理サーバの構成を示すブロック図である。
【図５】本発明の第１実施形態における情報格納部を説明する図である。
【図６】本発明の第１実施形態における情報格納部が格納する貸出者データベースを示す表である。
【図７】本発明の第１実施形態における情報格納部が格納する収納部データベースを示す表である。
【図８】本発明の第１実施形態における情報格納部が格納する履歴データベースを示す表である。
【図９】本発明の第１実施形態における収納システムの動作を説明する図であり、操作を選択する流れを示すフローチャートである。
【図１０】本発明の第１実施形態における収納システムの動作を説明する図であり、入庫操作の流れを示すフローチャートである。
【図１１】本発明の第１実施形態における収納システムの動作を説明する図であり、出庫操作の流れを示すフローチャートである。
【図１２】本発明の第１実施形態における収納システムの動作を説明する図であり、返却操作の流れを示すフローチャートである。
【図１３】本発明の第１実施形態における収納システムの動作を説明する図であり、回収操作の流れを示すフローチャートである。
【図１４】本発明の第２実施形態における収納装置の構成を示すブロック図である。
【発明を実施するための形態】
【００１９】
以下、本発明の実施形態について図を用いて詳細に説明する。
＜第１実施形態＞
（収納システムの全体構成）
図１は、本実施形態における鍵受け渡し用の収納システムの構成を示す図である。
この収納システムは、集合住宅の居住者である貸出者と、民泊者、ハウスキーパー、これらの仲介業者等の特定の部外者と、の間で、部屋の鍵を受け渡しするために使用されるシステムの例である。
【００２０】
図１に示すように、本実施形態の収納システムは、集合住宅の共同玄関に配設される宅配ボックスＸの一部に組み込まれた収納装置１０と、居住者である貸出者及び収納装置１０の各種管理情報を管理する管理サーバ２０と、を備え、これらがネットワーク３０を介して接続されている。
また、貸出者の貸出者端末４０がネットワーク３０を介して収納装置１０及び管理サーバ２０と各種の管理情報を送受信可能に接続されて構成されている。
【００２１】
収納装置１０は、図２〜図４に示すように、部屋の鍵を収納可能な複数の首脳部１１と、各種の情報や案内を表示する表示部１２と、各収納部１１の施錠及び解錠並びに開閉の入力操作が可能な操作部１３と、収納部１１の施錠及び解錠並びに開閉の動作を制御する制御部１４と、ネットワーク３０を介して各種の情報を送受信する通信部１５と、管理サーバ２０に設けられ、認証情報等の収納装置１０の各種管理情報を設定して登録可能な情報格納部２１と、を備えている。
【００２２】
各収納部１１は、部屋の鍵を収納可能な収納室１６と、収納室１６を開閉する開閉扉１７と、開閉扉１７を開閉駆動する開閉機構（図示せず）と、開閉扉１７を施錠及び解錠可能なロック機構（図示せず）と、各部の動作を制御する制御部１４と、を備えている。
操作部１３は、タッチパネル等からなり表示部１２と一体に設けられた表示入力部１８と、ＩＤカードなどの読取部１９と、を備えている。本実施形態では、この操作部１３は、鍵の収納部１１以外の宅配ボックスＸの開閉操作も共通に使用可能に構成されている。
【００２３】
これらの収納部１１及び操作部１３は、集合住宅におけるオートロック機構が設けられた共同玄関の外部から鍵を借り受ける借受者が操作可能に配設されている。本実施形態では、さらに、貸出者が収納部１１及び操作部１３を共同玄関の内部から操作可能に構成されていてもよい。
【００２４】
制御部１４は、操作部１３の入力操作の情報、情報格納部２１の認証情報等の管理情報などに基づいて、各収納部１１に設けられた開閉機構及びロック機構の動作を制御するとともに、表示部１２及び通信部１５を制御して各種情報を表示したり送受信したりすることが可能に構成されている。
【００２５】
この制御部１４には、貸出者がカギを入庫して収納部１１を施錠する入庫操作と、借受者が収納部１１を解錠して鍵を出庫する出庫操作と、借受者が出庫した鍵を返却して収納部１１を施錠する返却操作と、貸出者が収納部１１を解錠して鍵を回収する回収操作と、が、予め設定されており、操作部１３により選択可能となっている。
【００２６】
管理サーバ２０は、図４及び図５に示すように、収納装置１０を管理するための認証情報等の各種管理情報を設定して登録可能な情報格納部２１と、ネットワーク３０を介して指令や情報等を送受信する通信部２２と、ネットワーク３０を介して伝達された指令に基づいて情報格納部２１の動作制御を行うサーバ制御部２３と、を備えている。
【００２７】
情報格納部２１には、図５に示すように、複数の貸出者に関する情報が予め設定及び登録された貸出者データベース２１ａと、複数の収納部１１に関する情報が適宜設定、登録、リセット可能に格納された収納部データベース２１ｂと、複数の収納部１１の動作履歴が順次格納される履歴データベース２１ｃと、を備えている。
【００２８】
貸出者データベース２１ａは、図６に示すように、共同住宅の複数の居住者名、部屋番号、認証情報であるＩＤ番号、通知連絡先などの情報が予め格納されている。貸出者データベース２１ａの各情報は、通常は居住者に普遍に設定されているため、収納システムを使用する際に貸出者が入力する作業は不用である。
【００２９】
収納部データベース２１ｂは、図７に示すように、収納部１１の番号、現在の使用状況、現在使用中の貸出者のＩＤ、認証情報である現在のパスワード、貸出者の回収予定日などの情報が格納されている。
収納部データベース２１ｂの情報は、貸出者と借受者との間の一連の受け渡しごとに、収納装置１０の操作部１３や貸出者端末４０から入力され、管理サーバ２０の情報格納部２１に登録されるように構成されている。
【００３０】
収納部データベース２１ｂは、図７（ａ）に示すように、収納部１１の番号、現在の使用状況、現在使用中の貸出者のＩＤ、認証情報である現在のパスワード、貸出者の回収予定日などの情報が格納されている。
また、図７（ｂ）に示すように、１つの収納部１１を数日間占有し、かつ、複数の借受人に対して鍵を貸し出す場合には、１つの収納部１１に対して開閉するための複数のパスワードを設定することも可能であり、または、貸出者が自身の貸出者ＩＤに対して複数のパスワードを設定することも可能である。
【００３１】
また、設定したパスワードごとに、収納部１１の利用可能日又は利用可能時間を設定することも可能である。図示するように、貸出者は、自身の貸出者ＩＤに対して、パスワード「９８７６」は平成３０年９月１５日（８：００〜１７：００）、パスワード「８７６５」は平成３０年９月１６日（１４：００〜１７：００）、パスワード「７６５４」は平成３０年９月１７日（８：００〜１９：００）、パスワード「６５４３」は、平成３０年９月１８日（１０：００〜１２：００）といったような設定を行うことが可能である。
【００３２】
また、収納部データベース２１ｂの各情報は、貸出者が借受者との間で鍵を貸出して使用後に回収されるごとに、即ち、回収操作が行われるごとに解除されて情報格納部２１の収納部データベース２１ｂがリセットされるように構成されている。
【００３３】
履歴データベース２１ｃは、図８に示すように、貸出者と借受者との間の受渡しにおける各操作の日時の履歴、入庫操作、出庫操作、返却操作、及び回収操作のそれぞれが行われた日時が、収納部１１ごとに記録されている。
【００３４】
このような情報格納部２１の各データベース２１ａ〜２１ｃに登録された情報は、必要に応じてネットワーク３０を介して、収納装置１０の制御部１４により取得して活用可能に構成されている。
特に、貸出者データベース２１ａに登録された貸出者のＩＤ及び収納部データベース２１ｂのパスワードは、収納部１１の開閉の際に取得し、制御部１４において貸出者や借受者の認証成否に使用される。
【００３５】
制御部１４では、貸出者と借受者とが共通に認証情報を用いることで、入庫操作、出庫操作、返却操作、及び回収操作の少なくとも一部、好ましくは全部において認証可能に構成されている。本実施形態では、操作容易のために、入庫操作及び出庫操作ではパスワードによって認証可能とし、回収操作では貸出者のＩＤにより認証可能とする。
【００３６】
また、情報格納部２１に登録されているパスワードは、制御部１４により、貸出者の貸出者端末４０に通知するように構成されている。
さらに、情報格納部２１には、貸出者により回収予定が設定可能であり、回収予定内に回収操作が実行されないときに、制御部１４から貸出者端末４０に回収操作を催促する通知が送信されるように構成されている。
【００３７】
ここでは貸出者端末４０は、集合住宅の各住戸の居住者が操作する情報処理端末であって貸出者に通知可能なものであれば特に制限はなく、例えばデスクトップ型又はノートブック型ＰＣ、あるいは、スマートフォン、携帯電話機、ＰＨＳ又はＰＤＡ等の携帯端末であってもよい。
【００３８】
（収納システムの動作）
次に、以上のような収納システムの動作について説明する。
図９は、操作を選択する流れを説明するフローチャートである。
ここでは、操作を開始する前に、管理サーバ２０には貸出者データベース２１ａが予め登録された状態となっている。
収納システムを使用するには、まず、居住者である貸出者は、操作部１３の表示入力部１８において利用者選択を行う（ステップＳ１０１）。ここで、貸出者は、表示入力部１８に表示されている居住者を選択する（ステップＳ１０２／ＹＥＳ）。
【００３９】
制御部１４において居住者が選択されると、次に、表示入力部１８に入庫操作又は回収操作を選択する選択画面が表示される（ステップＳ１０３）。
貸出者が入庫操作を選択することで（ステップＳ１０４／ＹＥＳ）、制御部１４において入庫操作の動作が開始される。
【００４０】
図１０は入庫操作の流れを示すフローチャートである。制御部１４において入庫操作の動作が開始されると、操作部１３によりＩＤの認証処理が行われ、読取部１９で貸出者のＩＤカードを読込み（ステップＳ２０１）、管理サーバ２０の貸出者データベース２１ａから登録ＩＤを取得し（ステップＳ２０２）、貸出者の認証を行う（ステップＳ２０３）。認証が成功すると（ステップＳ２０３／ＹＥＳ）、制御部１４により収納部１１の開閉機構が制御されて開閉扉１７が開く（ステップＳ２０４）。
これにより貸出者は部屋の鍵を収納室１６に収納することで入庫し（ステップＳ２０５）、確認して開閉機構により開閉扉１７を閉じる（ステップＳ２０６）。
【００４１】
制御部１４の表示入力部１８では、パスワードが要求され、貸出者は表示入力部１８によりパスワードを入力して設定する（ステップＳ２０７）。
このパスワードは管理サーバ２０の情報格納部２１における収納部データベース２１ｂに登録される（ステップＳ２０８）。本実施形態では、さらに収納部データベース２１ｂには使用状況として使用中であることが記録される。この使用状況は、後述する貸出者の回収操作が終了するまで継続して使用中とされ、入庫操作から回収操作までが同一の収納部１１を使用して行われる。
【００４２】
また制御部１４では設定したパスワードを貸出者端末４０に通知し（ステップＳ２０９）、その通知が貸出者端末４０に受領される（ステップＳ２１０）。
制御部１４では、パスワードが設定されることで収納部１１のロック機構により開閉扉１７を施錠する（ステップＳ２１１）。
【００４３】
この一連の動作で鍵が収納部１１に入庫され、情報格納部２１の履歴データベース２１ｃに入庫の日時等の入庫履歴が記録される（ステップＳ２１２）。
また制御部１４の表示入力部１８では、さらに回収予定の入力が要求され、鍵を借受者が使用した後で貸出者が回収する回収予定の日付を貸出者が入力して設定する（ステップＳ２１３）。この回収予定は情報格納部２１の収納部データベース２１ｂに登録され（ステップＳ２１４）、さらに制御部１４から貸出者端末４０に回収予定が通知され（ステップＳ２１５）、貸出者端末４０に受領される（ステップＳ２１６）。
これにより入庫操作は完了する。
【００４４】
入庫された鍵を借受者が借り受けて使用するには、借受者が出庫操作を行う。
借受者は、まず図９のフローチャートに示すように、操作部１３の表示入力部１８において利用者選択を行う（ステップＳ１０１）。このとき、借受人は、表示入力部１８において居住者以外を選択する（ステップＳ１０２／ＮＯ）。そして、制御部１４において居住者ではないことが選択され、表示入力部１８には出庫操作又は返却操作を選択する選択画面が表示される（ステップＳ１０６）。借受者が出庫操作を選択することで（ステップＳ１０７／ＹＥＳ）、制御部１４において入庫操作の動作が開始される。
【００４５】
図１１は出庫操作の流れを示すフローチャートである。制御部１４において出庫操作の動作が開始されると、操作部１３の入力表示部１２により収納部１１の番号及びパスワードが要求され、借受者は入力表示部１２に操作しようとする収納部１１の番号とパスワードとを入力する（ステップＳ３０１）。
収納部１１の番号及びパスワードは、貸出者が入庫操作の際に使用したものであり、収納システムとは別に貸出者から借受者に予め通知されている。
【００４６】
制御部１４では、管理サーバ２０から収納部１１の番号及び対応するパスワードを読み込んで取得し（ステップ３０２）、入力された番号及びパスワードの認証を行う（ステップＳ３０３）。認証が成功すると、制御部１４により収納部１１のロック機構が解錠され（ステップＳ３０４）、開閉機構により開閉扉１７が開く（ステップＳ３０５）。
【００４７】
この状態で、借受者は収納室１６から鍵を取り出して出庫し（ステップＳ３０６）、開閉機構により開閉扉１７を閉じる（ステップＳ３０７）。
また情報格納部２１の履歴データベース２１ｃには、出庫の日時等の出庫履歴が記録され（ステップＳ３０８）、さらに制御部１４から出庫通知が発信され（ステップＳ３０９）、貸出者端末４０で受領される（ステップＳ３１０）。
これにより借受者による出庫操作が完了する。
その後、借受者は出庫された鍵を使用して、貸出者の部屋へ入室して所期の目的に使用することができる。
【００４８】
鍵の使用が終了した後には、借受者は鍵を返却するための返却操作を行う。
借受者は、図９のフローチャートに示すように、操作部１３の表示入力部１８において利用者選択を行う（ステップＳ１０１）。そして、居住者以外を選択する（ステップＳ１０２／ＮＯ）。次に、表示入力部１８には出庫操作又は返却操作を選択する選択画面が表示され（ステップＳ１０６）、借受者が返却操作を選択することで（ステップＳ１０７／ＮＯ）、制御部１４において返却操作が選択されて（ステップＳ１０８）、返却操作の動作が開始される。
【００４９】
図１２は返却操作の流れを示すフローチャートである。制御部１４において返却操作の動作が開始されると、操作部１３の入力表示部１２により収納部１１の番号及びパスワードが要求され、借受者は入力表示部１２に操作しようとする収納部１１の番号とパスワードとを入力する（ステップＳ４０１）。
このとき収納部１１は出庫操作を行った収納部１１で、返却操作で収納部１１の番号は出庫時と同一であり、さらにパスワードも出庫操作の際に使用したものと同一である。
【００５０】
制御部１４では、管理サーバ２０から収納部１１の番号のパスワードを読み込んで取得し（ステップＳ４０２）、認証を行う（ステップＳ４０３）。認証が成功すると（ステップＳ４０３／ＹＥＳ）、収納部１１の開閉扉１７が開閉機構により開く（ステップＳ４０４）。
【００５１】
この状態で、借受者は収納室１６に鍵を収納して返却し（ステップＳ４０５）、開閉機構により開閉扉１７を閉じる（ステップＳ４０６）。さらに制御部１４により収納部１１のロック機構が施錠される（ステップＳ４０７）。
また情報格納部２１の履歴データベース２１ｃには、返却の日時等の返却履歴が記録され（ステップＳ４０８）、さらに制御部１４から貸出者端末４０に返却通知が発信され（ステップＳ４０９）、貸出者端末４０で受領される（ステップＳ４１０）。
これにより借受者による返却操作が完了する。
【００５２】
本実施形態の収納システムでは、出庫操作と返却操作とを複数回行うことが可能であり、図１２に示す返却操作と、図１１に示す出庫操作とを交互に繰り返すことが可能である。
そして単数又は複数の返却処理が完了した後には、貸出者による回収操作を行うことができる。
【００５３】
回収操作では、図９のフローチャートに示すように、操作部１３の表示入力部１８において利用者選択を行う（ステップＳ１０１）。そして、貸出者は居住者を選択し（ステップＳ１０２／ＹＥＳ）、次に、表示入力部１８には入庫操作又は回収操作を選択する選択画面が表示され（ステップＳ１０３）、貸出者が回収操作を選択することで（ステップＳ１０４／ＮＯ）、制御部１４において回収操作が選択されて、回収操作の動作が開始される。
【００５４】
図１３は回収操作の流れを示すフローチャートである。制御部１４において回収操作の動作が開始されると、操作部１３の入力表示部１２により収納部１１の番号と、ＩＤ入力又はパスワードが要求される。貸出者は入力表示部１２に操作しようとうる収納部１１の番号を入力し、読取部１９によりＩＤカードを読込むか、入力表示部１２によりパスワードを入力する（ステップＳ５０１）。
このとき収納部１１は出庫操作を行った収納部１１で、返却操作で収納部１１の番号は出庫時と同一であり、さらにパスワードも出庫操作の際に使用したものと同一である。
【００５５】
制御部１４では、管理サーバ２０から貸出者のＩＤまたは収納部１１のパスワードを読み込んで取得し（ステップＳ５０２）、認証を行う（ステップＳ５０３）。認証が成功すると、制御部１４により収納部１１のロック機構が解錠され（ステップＳ５０４）、収納部１１の開閉扉１７が開閉機構により開く（ステップＳ５０５）。
【００５６】
この状態で、貸出者は収納室１６から鍵を取り出して回収する（Ｓ５０６）。
その後、開閉機構により開閉扉１７を閉じ（ステップＳ５０７）、さらに情報格納部２１の履歴データベース２１ｃに、回収の日時等の回収履歴が記録される（ステップＳ５０８）。
そして、収納部１１と管理サーバ２０の情報格納部２１における収納部データベース２１ｂがリセットされ、使用状況として空きであることが記録される。
これにより貸出者による回収操作が完了し、収納部１１が他の貸出者が使用可能な状態にリセットされる。
【００５７】
次に、このような鍵受渡用の収納システムの使用例について説明する。
まず鍵の貸出者が集合住宅の居住者であって、鍵の借受者がハウスキーパーの場合、居住者が外出するときに、鍵を収納システムの収納部１１に入庫して施錠し、収納部１１の番号とパスワードとをハウスキーパーに通知しておく。
すると不在時にハウスキーパーは、収納システムの収納部１１を解錠して鍵を出庫し、当該居住者の部屋に入室して必要なハウスキーパーの仕事を行うことができる。終了後には再び元の収納部１１に鍵を返却して施錠しておく。
その後、居住者が帰宅したときに、収納部１１を解錠して鍵を回収して自室に入出することができる。
【００５８】
また鍵の貸出者が民泊を営む集合住宅のオーナーであって、鍵の借受者が民泊者の場合、オーナーは民泊者の予約を受けて、鍵を収納システムの収納部１１に入庫して施錠し、部屋の番号、収納部１１の番号及びパスワードを、民泊者に通知しておく。
すると民泊者は宿泊日に、収納システムの収納部１１を解錠して鍵を出庫し、所定の部屋に入室して宿泊できる。宿泊期間が終了して退室するときには、民泊者は再び元の収納部１１に鍵を返却して施錠しておく。
その後、オーナーは収納部１１を解錠して鍵を回収して、次の民泊者のための清掃や準備を行うことができる。
【００５９】
また、鍵の貸出者が集合住宅のオーナーであって、鍵の借受者が不動産業者の内見者の場合、オーナーが不動産業者に仲介を依頼後に、鍵を収納システムの収納部１１に入庫して施錠し、収納部１１の番号及びパスワードを、不動産業者に通知しておく。
すると不動産業者は、内見の希望者がくるたびに、収納システムの収納部１１を解錠して鍵を出庫して内見希望者に室内を内見させ、終了後に元の収納部１１に鍵を返却して施錠することを繰り返し行うことができる。
その後、仲介が成立した段階で、オーナーが鍵を回収して収納部１１をリセットし、次の居住者に鍵を渡すことができる。
【００６０】
さらに、上記のように鍵の貸出者が集合住宅のオーナーであって、数日にわたって、かつ借受者が日ごとに異なる場合に、その都度、収納部１１を開閉させるためのパスワードを変更することも可能である。
例えば、４日間で日ごとに異なる借受人に対して鍵の貸し出しを行う場合、日ごとに収納部１１を開閉させるためのパスワードを設定する。貸出者は、１日目は「９８７６」、２日目は「８７６５」、３日目は「７６５４」、４日目は「６５４３」といったようなパスワードを設定する。制御部１４は、これら設定されたパスワードをそれぞれの借受人に対して通知することで、それぞれの借受人は、受け取ったパスワードを使用して収納部１１を開閉し、鍵の出庫及び入庫を行う。
なお、パスワードの設定時に、各パスワードにおける収納部１１の利用可能時間を設定することも可能である。
【００６１】
このように、予め数日間にわたって鍵を貸し出す場合に、日ごとに鍵を入庫する収納部１１を変える必要がなく、１つの収納部１１を数日間にわたって占有することが可能となる。
【００６２】
次に、このような収納システム及び収納装置の作用効果について説明する。
以上のような収納装置１０によれば、鍵の貸出者と借受者とが情報格納部２１に格納された共通の認証情報を用いて収納部１１を開閉することで、収納部１１への鍵の入庫操作、出庫操作、返却操作、及び回収操作ができるように構成されている。そのため貸出者と借受者とが直接会って部屋の鍵を受渡す必要がなく、収納部１１を介して無人で鍵の受渡しを容易且つ安全に行うことができる。例えば集合住宅の各居住者が、民泊者、ハウスキーパー、内見者、これらの仲介業者等の特定の部外者との間で、自己の部屋の鍵の受渡しを容易且つ安全に行うことが可能となる。
【００６３】
この収納装置１０では、入庫操作、出庫操作、返却操作、及び回収操作が予め設定され、入庫操作で認証情報が設定されるとともに回収操作で認証情報が解除されるように構成されている。そのため貸出者が部屋の鍵を入庫し、借受者が鍵を出庫して使用した後で返却し、最後に貸出者が鍵を回収する一連の鍵の受渡しを、同じ収納部１１及び同じ認証情報で使用して行うことができ、使い勝手がよい。
【００６４】
ここで認証情報が貸出者のＩＤ及びパスワードを含み、出庫操作ではパスワードにより認証され、回収操作では貸出者のＩＤが認証されるので、貸出者は借受者毎に毎回異なるパスワードを設定していても、回収操作では毎回同じ貸出者のＩＤで鍵を回収することができ、使い勝手を向上できる。
【００６５】
また、この実施形態の収納装置１０では、入庫操作で設定されたパスワードが貸出者端末４０に通知されるように構成されているので、貸出者が自身で設定したパスワードを忘れることを防止でき、円滑な使用が可能である。
【００６６】
さらに、この実施形態の収納装置１０では、回収予定に回収操作が実行されないときに、貸出者端末４０に回収催促を通知するので、収納部１１を特定の貸出者が過剰な期間占有するようなことを防止することができる。
【００６７】
また、この実施形態の収納装置１０では、集合住宅における共同玄関の外部から出庫操作及び返却操作可能に収納部１１及び操作部１３が配設されているので、集合住宅に居住する貸出者と外部の借受者との間で部屋の鍵を確実に受渡すことができ、使い勝手がよい。
【００６８】
そしてこのような収納装置１０を用いた収納システムによれば、情報格納部２１における管理情報をネットワーク３０を介して管理する管理サーバ２０を備えているので、収納装置１０自体に設ける制御部１４の構成を簡素化できるとともに情報格納部２１の管理情報を安全に格納できる。
【００６９】
さらにこの収納システムでは、貸出者の貸出者端末４０が管理情報を送受信可能に収納装置１０及び管理サーバ２０とネットワーク３０を介して接続されているので、貸出者の貸出者端末４０により適宜管理情報を確認したり入出力したりすることができ、使い勝手を向上できる。
【００７０】
＜第２実施形態＞
図１４は第２実施形態における収納装置の構成を示すブロック図である。
第２実施形態の収納装置５０は、情報格納部２１が収納装置５０の制御部１４内に組み込まれている。そのため第１実施形態のようにネットワーク３０を介して接続された管理サーバ２０などは備えられていない。なお貸出者端末４０とはネットワーク３０を介して接続されいてもよい。
この収納装置５０に組込まれた情報格納部２１であっても、図５に示す第１実施形態の情報格納部２１と同様の各データベース２１ａ〜２１ｃを備えている。
その他の構成は第１実施形態の収納装置１０と同様である。
【００７１】
このような構成の収納装置５０であっても、第１実施形態と同様の作用効果を得ることができる。しかも第２実施形態の収納装置５０では、管理サーバ２０等を設ける必要がないため、構成をより簡素化することができる。
【００７２】
なお上記各実施形態は、本発明の範囲内において適宜変更可能である。例えば上記各実施形態では、貸出者の貸出者端末４０が収納装置１０，５０及び管理サーバ２０とネットワーク３０を介して接続されている例について説明したが、貸出者の貸出者端末４０との通信機能なしで収納装置１０を構成してもよい。
また上記実施形態では、収納システムや収納ボックス１０，５０を宅配ボックスＸの一部に設けたが、宅配ボックスＸではなくて収納ボックス１０，５０を独立に設けることも当然に可能である。
また上記では、収納装置１０，５０をマンション等の集合住宅に設置したが、特に限定されるものではなく、オフィス、コンビニエンスストア、スーパーマーケット等の店舗や商業施設、又は駅や病院等の公共施設、機関等、多の場所に設置することも可能である。
【符号の説明】
【００７３】
Ｘ  宅配ボックス
１０，５０  収納装置
１１  収納部
１２  表示部
１３  操作部
１４  制御部
１５  通信部
１６  収納室
１７  開閉扉
１８  表示入力部
１９  読取部
２０  管理サーバ
２１  情報格納部
２１ａ  貸出者データベース
２１ｂ  収納部データベース
２１ｃ  履歴データベース
２２  通信部
２３  サーバ制御部
３０  ネットワーク
４０  貸出者端末
【図１】
2020112874.tif 000003
【図２】
2020112874.tif 000004
【図３】
2020112874.tif 000005
【図４】
2020112874.tif 000006
【図５】
2020112874.tif 000007
【図６】
2020112874.tif 000008
【図７】
2020112874.tif 000009
【図８】
2020112874.tif 000010
【図９】
2020112874.tif 000011
【図１０】
2020112874.tif 000012
【図１１】
2020112874.tif 000013
【図１２】
2020112874.tif 000014
【図１３】
2020112874.tif 000015
【図１４】
2020112874.tif 000016